(57)【要約】      （修正有）【課題】ポンプ式製品およびエアゾール式製品などが不用意にその作動モードへと設定されてしまうのを抑止できるようにしたトリガレバーを提供する。【解決手段】保内容物放出操作用トリガレバーの上側の基部１ｂと下側の操作部１ｆの間に、薄肉状の連結部１ｈと凹状の連動用空間域１ｊからなるインタフェース部を設ける。連動用空間域１ｊには連動用部材３などを着脱自在な形で保持可能となっている。保持されている時には、操作部１ｆに加わった操作力は基部１ｂへ伝達し、その結果作動モードへと設定される。保持されていない時には、操作力が連結部１ｈから基部１ｂへ伝達せず、操作部１ｆを連結部１ｈの部分をいわば中心にして回動するだけの空操作となり、不用意な作動モードへの設定を抑止できる。【選択図】図１
2006326450.tif 000002
【特許請求の範囲】
【請求項１】
容器内容物を外部空間に放出するための内容物放出操作用トリガレバーにおいて、
上側の基部と、下側の操作部と、当該基部および当該操作部のインタフェース部とからなり、
前記基部は、その移動にともなって内容物放出機構を作動モードに設定するモード設定作用部分を備え、
前記インタフェース部は、前記操作部への操作力が前記基部に伝達されるのを阻止して当該操作部に対する作動モード設定操作を空操作に設定可能な薄肉状の連結部分、および当該操作力の基部伝達用部材を着脱自在な形で保持可能な連動化作用部分を備えている、
ことを特徴とする内容物放出操作用トリガレバー。
【請求項２】
前記連動化作用部分は、回動式トリガレバーの前記基部および前記操作部に挟まれる態様で前記連結部分の後側に形成された凹状部である、
ことを特徴とする請求項１記載の内容物放出操作用トリガレバー。
【請求項３】
請求項１または２記載の内容物放出操作用トリガレバーを備え、かつ、容器本体内部に内容物を収容した、
ことを特徴とするポンプ式製品。
【請求項４】
請求項１または２記載の内容物放出操作用トリガレバーを備え、かつ、容器本体内部に放出用ガスおよび内容物を収容した、
ことを特徴とするエアゾール式製品。
【発明の詳細な説明】
【技術分野】
【０００１】
本発明は、容器本体の内容物を外部空間に放出するための内容物放出操作用トリガレバーや、このトリガレバーを持つポンプ式製品およびエアゾール式製品に関し、特にポンプ式製品およびエアゾール式製品が不用意にその作動モードへと設定されてしまうのを抑止できるようにしたトリガレバーに関する。
【０００２】
一般に、ポンプ式製品およびエアゾール式製品の運搬時，店頭陳列時や製品購入者サイドでのアクシデント，不注意や悪戯などによって、当該製品の本来の使用状況ではないのにトリガレバーが当該製品の作動モード設定状態へと移行してしまう、ことを避けるための誤動作防止機構を、簡単な構成および操作性を備えた形で設けることが望ましく、本発明はこのような要請に応えるものである。
【０００３】
なお、本明細書においては容器内容物の放出口の側を「前」とし、それの反対側を「後」と記す。すなわち図１の左側方向が「前」で、右側方向が「後」となる。また、上下方向に関しては容器本体の方を「下」とし、内容物の放出口の方を「上」とする。
【背景技術】
【０００４】
容器内容物の放出操作用トリガレバーが誤ってその作動モード位置へと設定されるのを防止する機能を備えたものとしては、例えば下記の特許文献で開示の誤動作防止機構がある。
【０００５】
この誤動作防止機構は、概略、
・トリガ(E) を上部トリガ(E1) と下部トリガ(E2) とに区分けして、その中の下部トリガが前方へ折り返し可能となるように設定し、
・下部トリガ(E1) には長孔(13) を形成し、
・ノズルキャップ(D) には当該長孔に対応した基板(11) および係止突起(12) を形成し、
・トリガ（トリガレバー）の不使用時には、下部トリガ(E2) を反時計方向の前側へ折り返して、その長孔(13)と、ノズルキャップ(D) の係止突起(12) とを係止させた折り曲げ状態に保持する、
ものである。
【０００６】
すなわち、トリガ（トリガレバー）を使用しない状況ではそれの下側部分を折り曲げてノズルキャップに係止し、これによりトリガの回動操作を不能にしている。
【特許文献１】特開２０００−４２４５８号公報
【発明の開示】
【発明が解決しようとする課題】
【０００７】
このように、従来のトリガレバーの誤動作防止機構は、当該レバーの（上側部分に係止された状態の）下側部分を積極的に折り曲げることにより全体を「Ｌ」字状にしてこのＬ形状が固定的に保持される構造になっているので、当該保持状態のトリガレバーの不用意な回動操作を略確実に抑止できるものの、構造が複雑となって製造コストも高くなり、また、トリガレバーの下側部分をわざわざ折り曲げてその一部をノズルキャップの所定部分に係止させるという煩雑な操作を必要とし、利用者にとって使い勝手がいま一つ悪いという問題点があった。
【０００８】
そこで、本発明では、トリガレバー自体を、その下側部分の操作部と上側部分の基部とが薄肉状部分で連結され、当該操作部を操作してもその力が当該基部に伝達されずに空操作となる構造のものとし、そして、利用者がトリガレバーを本来の操作部材として使用する際には力伝達用のいわば操作用治具を当該レバーに取り付けて（薄肉状部分で分断された）基部および操作部の連動作用を確保することにより、トリガレバーの誤動作防止用構造の簡単化を図るとともに、当該レバーの使用可／使用不可の選択的操作の単純化を図ることを目的とする。
【課題を解決するための手段】
【０００９】
本発明はこれらの課題を次のようにして解決する。
（１）容器内容物を外部空間に放出するための内容物放出操作用トリガレバーにおいて、上側の基部（例えば後述の基部１ｂ）と、下側の操作部（例えば後述の操作部１ｆ）と、当該基部および当該操作部のインタフェース部とからなり、前記基部は、その移動にともなって内容物放出機構を作動モードに設定するモード設定作用部分（例えば後述のカム状面１ｅ）を備え、前記インタフェース部は、前記操作部への操作力が前記基部に伝達されるのを阻止して当該操作部に対する作動モード設定操作を空操作に設定可能な薄肉状の連結部分（例えば後述の連結部１ｈ）、および当該操作力の基部伝達用部材を着脱自在な形で保持可能な連動化作用部分（例えば後述の連動用空間域１ｊ，１ｍ，１ｐ）を備える。
（２）上記（１）において、前記連動化作用部分を、回動式トリガレバーの前記基部および前記操作部に挟まれる態様で前記連結部分の後側に形成された凹状部（例えば後述の凹状の連動用空間域１ｊ）とする。
【００１０】
本発明は、このような構成からなるトリガレバー，当該トリガレバーを備えたポンプ式製品および、当該トリガレバーを備えたエアゾール式製品を対象としている。
【発明の効果】
【００１１】
そして、このトリガレバーは、誤動作防止用構造の簡単化を図り、また、当該レバーの使用可／使用不可の選択的操作の単純化を図ることができるといった効果を奏している。
【発明を実施するための最良の形態】
【００１２】
図１乃至図３を用いて本発明を実施するための最良の形態を説明する。
【００１３】
なお、上述したように本発明の内容物放出操作用のトリガレバーはポンプ式容器およびエアゾール式容器のいずれをも適用対象とするものであるが、図１乃至図３を用いた以下の実施形態では、単なる説明の便宜上、ポンプ式容器を前提とする。
【００１４】
ここで、
図１は、トリガレバー（その１）の初期状態（＝静止モード）を示す説明図であり、
図２は、回動操作にともなう図１のトリガレバーの動きを示す説明図であり、(a) は当該トリガレバーの基部が操作部と連動しない空操作状態を示し、(b) は当該トリガレバーの基部が操作部と連動する実操作状態を示し、
図３は、トリガレバー（その２）を示す説明図であり、(a) は初期状態を示し、(b) は当該トリガレバーの基部が操作部と連動しない空操作状態を示している。
【００１５】
以下のアルファベット付き参照番号の構成要素（例えば回動軸１ａ）は原則として、そのアルファベットなし参照番号の構成要素（例えばトリガレバー１）の一部であることを示している。
【００１６】
図１乃至図３において、
１はトリガレバー，
１ａは後述のカバー体４に取り付けられる一対の回動軸，
１ｂは当該回動軸に続く一対の側壁と前面などからなり、当該前面が開口している基部，
１ｃは当該基部の底板部分の下面，
１ｄは当該側壁のそれぞれに形成されて後述の可動シリンダ２の被駆動部分２ｂを受けるポケット状部，
１ｅは当該ポケット状部の（当該被駆動部分が当接する）カム状面，
１ｆは一対の側壁と前面などからなる操作部，
１ｇは当該操作部の側壁上面，
１ｈは基部１ｂと操作部１ｆとの間の薄肉状の連結部，
１ｊは基部１ｂの下面１ｃと操作部１ｆの側壁上面１gとの間に形成され前後方向の断面形状が「Ｃ」字状の空間域であって、その中に後述の連動用部材３を入れることにより当該基部および当該操作部の連動化を図るための凹状の連動用空間域，
「以下の１ｋ，１ｍ，１ｎ，１ｐは図３でのみ使用」
１ｋは基部１ｂの下端面側に形成した一対の「コ」の字状の垂下片部，
１ｍは当該垂下片部の凹状の連動用空間域，
１ｎは操作部１ｆの上端面側に、当該垂下片部に挟まれる態様で形成した「コ」の字状の起立片部，
１ｐは当該起立片部の凹状の連動用空間域，
２は弾性部材（図示省略）により前方向に付勢され、前端部分が基部１ｂの開口域から突
出して当該基部の反時計方向への回動に応じて後述の筐体部４ａにガイドされながら後退する可動シリンダ，
２ａは当該可動シリンダ内部の内容物通路域の最下流側となる放出口，
２ｂは当該可動シリンダの周面に形成されて基部１ｂのポケット状部１ｄのカム状面１ｅに案内される被駆動部分，
３は図１のトリガレバー１の連動用空間域１ｊにセットされる丸形棒状の（基部１ｂおよび操作部１ｆの）連動用部材，
３ａは当該連動用部材の両端側の小径部分，
３ｂは当該連動用部材の中側の大径部分，
４はトリガレバー１を回動可能な形で保持して、後述の容器本体６に螺子結合により取り付けられるカバー体，
４ａは可動シリンダ２の案内作用などを呈する筐体部，
４ｂは当該カバー体の一対の側壁それぞれの後側部分に形成されて、不使用時の連動用部材３を積極的に保持するための凹状部，
５はカバー体４と一体化した状態で後述の容器本体６の開口側筒状部に取り付けられる螺子キャップ，
６は内容物を収納した容器本体，
７は図３のトリガレバー１の連動用空間域１ｍ，１ｐにセットされる平板状の（基部１ｂおよび操作部１ｆの）連動用部材，
をそれぞれ示している。
【００１７】
トリガレバー１や連動用部材３，７は、例えばポリプロピレン，ポリエチレン，ポリアセタール，ナイロン，ポリブチレンテレフタレートなどからなるプラスチック製の一体成形物である。金属製の連動用部材３，７を用いてもよく、コインを連動用部材７としてもよい。
【００１８】
なお、本発明のトリガレバー１や連動用部材３，７がこれらの材質のものに限定されないことは勿論である。また、可動シリンダ２，カバー体４，螺子キャップ５や容器本体６の材質も同様である。
【００１９】
図示のトリガレバー１の基本的特徴は、
(1) 回動軸１ａに続く基部１ｂと利用者の操作対象である操作部１ｆとの間に薄肉状の連結部１ｈを形成して、そのままでは当該操作部に対する回動力が実質的に当該基部へ伝達されないようにし、
(2) 基部１ｂおよび操作部１ｆの連動用部材３，７を着脱自在な形で保持する凹状の連動用空間域１ｊ，１ｍ，１ｐを形成した、
ことである。
【００２０】
すなわち、利用者が連動用空間域１ｊ，１ｍ，１ｐに連動用部材３，７を取り付けないまま操作部１ｆを作動モード設定方向（図示反時計方向）に回動操作したとしても、図２(a) ，図３(b) に示すように当該操作部のみが連結部１ｈの部分をいわば中心にして回動するだけであり、基部１ｂは何ら回動せずに空操作となる。
【００２１】
このとき基部１ｂが回動しないのは、上述のように、可動シリンダ２が前方向に弾性力で付勢されており、当該基部にもそのポケット状部１ｄおよび当該可動シリンダの被駆動部２ｂを介して当該弾性力が作用している、からである。
【００２２】
トリガレバー１を本来の操作レバーとして用いるには、連動用空間域１ｊ，１ｍ，１ｐに連動用部材３，７を取り付ければよい。
【００２３】
この連動用部材の取付けにより、基部１ｂおよび操作部１ｆが一体となった状態での作動モード設定方向（反時計方向）への回動操作が確実に担保される〔図２(b) ，図３(a) 参照〕。
【００２４】
なお、トリガレバー１の薄肉状部１ｈの強度は、図１の初期状態（＝連動用部材３をカバー体４の凹状部４ｂに保持した状態）において操作部１ｆが通常の（凹状空間域１ｊを形成していない）トリガレバーの場合と同じ位置状態で安定する程度に、設定されている。
【００２５】
また、図１に示すように、連動用部材３は、その大径部分３ｂがカバー体４の一対の側壁の間の空間部分に入り込み、当該大径部分の周面縁部（小径部分３ａの外側部分）が当該側壁の内面に規制された状態で保持されている。
【００２６】
そのため、連動用部材３は、ポンプ式製品やエアゾール式製品の例えば運搬中や陳列作業中に何らかの力を受けても、カバー体４の幅方向にずれてそこから外れてしますようなことはない。
【００２７】
上述のごとく、トリガレバー１の連動用空間域１ｊ，１ｍ，１ｐに連動用部材３，７を取り付けない状態でも、操作部１ｆに対する回動操作自体は可能であるが、ただ、図２(a) や図３(b) に示すように基部１ｂが回動しない空操作となるだけである。
【００２８】
この空操作の発生により、例えば操作部１ｆを動かすことで満足しやすい幼児などが内容物を放出してしまうことも防止できる。
【００２９】
トリガレバー１の連動用空間域１ｊに連動用部材３を、また連動用空間域１ｍ，１ｐに連動用部材７をそれぞれ取り付けることにより、当該トリガレバーは本来の操作部材の機能を呈する。
【００３０】
すなわち、この取付け状態の操作部１ｆを図示反時計方向に回動操作すると、基部１ｂも一体となって同方向に回動する。
【００３１】
その結果、当該基部のポケット状部１ｄのカム状面１ｅに倣っている可動シリンダ２（の被駆動部２ｂ）が後退し、周知の内容物放出機構（図示省略）は作動モードへと移行して容器内容物が可動シリンダ２の放出口２ａから外部空間に放出される。
【００３２】
以上示した内容物放出操作用トリガレバーにおいて、次のような各種変形をほどこしてもよいことは勿論である。
(11) 連動用部材３を角棒状の形状にする。
(12) 図１の連動用空間域１ｊを平板状の連動用部材７に対応した形にする。
(13) 図３の連動用空間域１ｍ，１ｐを棒状の連動用部材３に対応した形にする。
(14) 図３の垂下片部１ｋおよび起立片部１ｎを「Ｌ」字状、すなわち図３において参照記号１ｋ，１ｎの各引出し線で示している部分が「Ｌ」の横方向部分となるようにする。それは、連動用部材７を作用させるには、少なくとも当該部材の下面を垂下片部１ｋで支えてその上面を起立片部１ｎで押えればよいからである。
(15) 基部１ｂの底板部分を省略し、また、操作部１ｆの一対の側壁上面間をつなぐ態様の上板部分（＝連動用空間域１ｊの構成要素）を形成する。
(16) トリガレバー１として、回動式ではなく例えば前後方向に移動するスライド式（例えば後述の特開平１１−１００３３号公報参照）のものを対象とする。
【００３３】
なお、ポンプ形式やバルブ形式の内容物放出機構自体は任意のものでよく、例えば、
・特開平９−２９９８３８号公報，特開平１１−１９７６５３号公報，特開２００３−２９９９９３号公報（ポンプ形式の内容物放出機構）、
・特開平１１−１００３３号公報，特開２０００−６１３７０号公報，特開２００２−２３３７９７号公報３３９７８３号公報（バルブ形式の内容物放出機構）、
などで開示される機構を用いればよい。
【００３４】
本発明が適用されるポンプ式製品やエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００３５】
容器本体に収納する内容物は、例えば油成分，アルコール類，界面活性剤，高分子化合物，粉状物，各用途に応じた有効成分などである。
【００３６】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００３７】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００３８】
アルコール類としては、エタノールなどの１価の低級アルコール，ラウリルアルコールなどの１価の高級アルコール，エチレングリコールなどの多価アルコールなどを用いる。
【００３９】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００４０】
高分子化合物としては、メチルセルロース，ゼラチン，デンプン，カゼインなどを用いる。
【００４１】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００４２】
さらに、上記内容物以外の、懸濁剤，紫外線吸収剤，乳化剤，保湿剤，酸化防止剤、金属イオン封鎖剤なども用いることができる。
【００４３】
エアゾール式製品における内容物放出用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【図面の簡単な説明】
【００４４】
【図１】本発明の、トリガレバー（その１）の初期状態（＝静止モード）を示す説明図である。
【図２】本発明の、回動操作にともなう図１のトリガレバーの動きを示す説明図であり、(a) は当該トリガレバーの基部が操作部と連動しない空操作状態を示し、(b) は当該トリガレバーの基部が操作部と連動する実操作状態を示している。
【図３】本発明の、トリガレバー（その２）を示す説明図であり、(a) は初期状態を示し、(b) は当該トリガレバーの基部が操作部と連動しない空操作状態を示している。
【符号の説明】
【００４５】
１：トリガレバー
１ａ：一対の回動軸
１ｂ：基部
１ｃ：基部の底板部分の下面，
１ｄ：ポケット状部
１ｅ：ポケット域部のカム状面
１ｆ：操作部
１ｇ：操作部の側壁上面
１ｈ：薄肉状の連結部
１ｊ：凹状の連動用空間域
１ｋ：「コ」の字状の垂下片部
１ｍ：垂下片部の凹状の連動用空間域
１ｎ：「コ」の字状の起立片部
１ｐ：起立片部の凹状の連動用空間域
２：可動シリンダ
２ａ：放出口
２ｂ：被駆動部分
３：丸形棒状の連動用部材
３ａ：小径部分
３ｂ：大径部分
４：カバー体
４ａ：筐体部
４ｂ：凹状部
５：螺子キャップ
６：容器本体
７：平板状の連動用部材
【図１】
2006326450.tif 000003
【図２】
2006326450.tif 000004
【図３】
2006326450.tif 000005